(57)【要約】  本発明は、デジタルコンテンツ保護のシステム（並びに対応する装置及び方法）に関し、当該システムは、デジタルコンテンツ項目106を含む第１デジタルコンテンツ保護システム101と、第１デジタルコンテンツ保護システム101の外にあるコンテンツアクセス装置105と、コンテンツアクセス装置105に、第１デジタルコンテンツ保護システム101のデジタルコンテンツ項目106へのアクセスを提供する少なくとも一つの仲介装置100と、を備え、仲介装置100が、仲介装置100に知られる秘密Ｋを用いて、セキュアアクセス情報Encr(Ｋ;Inf_ID)を生成するように構成され、仲介装置100に、アクセス情報Inf_IDを回復させ、そして仲介装置100は、アクセス情報Inf_IDを用いて、コンテンツアクセス装置105に、第１デジタルコンテンツ保護システム101内におけるデジタルコンテンツ項目106にアクセスさせるように更に構成される。
2009500713.tif 000002
【特許請求の範囲】
【請求項１】
デジタルコンテンツ保護に関するシステムであって、当該システムが、
−デジタルコンテンツ項目を含む第１デジタルコンテンツ保護システムと、
−前記第１デジタルコンテンツ保護システムの一部ではないコンテンツアクセス装置と、
−前記コンテンツアクセス装置に、前記第１デジタルコンテンツ保護システムの前記デジタルコンテンツ項目へのアクセスを提供する少なくとも一つの仲介装置と、
を備え、
−前記仲介装置が、前記仲介装置に知られる秘密を用いて、前記コンテンツアクセス装置における記憶のためのセキュアアクセス情報を生成するように構成され、前記秘密は、前記仲介装置に、前記コンテンツアクセス装置に記憶される前記セキュアアクセス情報からアクセス情報を回復させ、そして前記仲介装置は、前記アクセス情報を用いて、前記コンテンツアクセス装置に、前記第１デジタルコンテンツ保護システム内における前記デジタルコンテンツ項目にアクセスさせるように更に構成される、
システム。
【請求項２】
請求項１に記載のシステムであって、前記セキュアアクセス情報が、前記アクセス情報を暗号化することによって生成される、システム。
【請求項３】
請求項１に記載のシステムであって、前記コンテンツアクセス装置は、第２デジタルコンテンツ保護システムにおいて位置される、システム。
【請求項４】
請求項１に記載のシステムであって、前記コンテンツアクセス装置は、相互運用デジタルコンテンツ保護システムにおいて位置される、システム。
【請求項５】
請求項２又は３に記載のシステムであって、共有鍵が、前記アクセス情報を暗号化するのに用いられ、これにより、追加的な仲介装置に前記アクセス情報を回復させるのを可能にする、システム。
【請求項６】
請求項１に記載のシステムであって、前記アクセス情報は、前記コンテンツアクセス装置に関して固有である暗号化鍵を用いて前記アクセス情報を暗号化して暗号化アクセス情報を生じさせることによって、且つ、前記仲介装置の公開・私有鍵の対のうちの公開鍵を用いて又は前記仲介装置の対称鍵を用いて暗号化される前記暗号化鍵を前記コンテンツアクセス装置において暗号化及び記憶することによって、セキュアな仕方で所与の仲介装置により前記コンテンツアクセス装置に記憶され、これにより、前記仲介装置が、前記暗号化鍵を復号し、前記記憶されたアクセス情報を得ることを可能にさせる、
システム。
【請求項７】
請求項６に記載のシステムであって、前記秘密は、ＩＤサービスによって生成される、システム。
【請求項８】
請求項７に記載のシステムであって、前記秘密は、前記アクセス情報に一方向関数を適用することによって生成される、システム。
【請求項９】
請求項１に記載のシステムであって、前記アクセス情報は、前記アクセス情報を、前記仲介装置の公開・私有鍵の対のうちの公開鍵を用いて又は前記仲介装置の対称鍵を用いて暗号化させることによって、セキュアな仕方で前記コンテンツアクセス装置に記憶され、これにより、前記コンテンツアクセス装置において前記アクセス情報を記憶した前記所与の仲介装置のみが、前記アクセス情報を得ることを可能であるようにされる、
システム。
【請求項１０】
コンテンツアクセス装置に、第１デジタルコンテンツ保護システムのデジタルコンテンツ項目へのアクセスを提供する仲介装置であって、
前記第１デジタルコンテンツ保護システムが前記デジタルコンテンツ項目を含み、前記コンテンツアクセス装置が前記第１デジタルコンテンツ保護システムの一部ではなく、前記仲介装置が、前記仲介装置に知られる秘密を用いて、前記コンテンツアクセス装置における記憶のためのセキュアアクセス情報を生成するように構成され、前記秘密は、前記仲介装置に、前記コンテンツアクセス装置に記憶される前記セキュアアクセス情報からアクセス情報を回復させ、そして前記仲介装置は、前記アクセス情報を用いて、前記コンテンツアクセス装置に、前記第１デジタルコンテンツ保護システム内における前記デジタルコンテンツ項目にアクセスさせるように更に構成される、
仲介装置。
【請求項１１】
第１デジタルコンテンツ保護システムにおけるデジタルコンテンツ項目へのアクセスを獲得するコンテンツアクセス装置であって、前記コンテンツアクセス装置は、前記第１デジタルコンテンツ保護システムの外にあり、前記コンテンツアクセス装置は、仲介装置によって生成されるセキュアアクセス情報を記憶しており、且つ前記コンテンツアクセス装置に、前記仲介装置に知られる秘密を用いて、セキュアな仕方で前記デジタルコンテンツ項目にアクセスさせる、コンテンツアクセス装置。
【請求項１２】
コンテンツアクセス装置に対して、第１デジタルコンテンツ保護システムにおけるデジタルコンテンツ項目へのアクセスを提供する方法であって、前記コンテンツアクセス装置が前記第１デジタルコンテンツ保護システムの一部ではなく、当該方法が、
−前記コンテンツアクセス装置に対して、前記デジタルコンテンツ項目へのアクセスを、前記仲介装置によって提供するステップであって、前記仲介装置が、前記仲介装置に知られる秘密を用いて、前記コンテンツアクセス装置における記憶のためのセキュアアクセス情報を生成しており、前記秘密は、前記仲介装置に、前記コンテンツアクセス装置に記憶される前記セキュアアクセス情報からアクセス情報を回復させる、ステップと、
−前記仲介装置によって前記アクセス情報を獲得するステップと、
−前記コンテンツアクセス装置に、前記第１デジタルコンテンツ保護システム内における前記デジタルコンテンツ項目にアクセスさせるために、前記アクセス情報を用いるステップと、
を含む方法。
【請求項１３】
請求項１２に記載の方法であって、前記セキュアアクセス情報が、前記アクセス情報を暗号化することによって生成される、方法。
【請求項１４】
請求項１２に記載の方法であって、前記コンテンツアクセス装置は、第２デジタルコンテンツ保護システムにおいて位置される、方法。
【請求項１５】
請求項１２に記載の方法であって、前記コンテンツアクセス装置は、相互運用デジタルコンテンツ保護システムにおいて位置される、方法。
【請求項１６】
請求項１３又は１４に記載の方法であって、共有鍵が、前記アクセス情報を暗号化するのに用いられ、これにより、追加的な仲介装置に前記アクセス情報を回復させるのを可能にする、方法。
【請求項１７】
請求項１２に記載の方法であって、当該方法が、
−前記コンテンツアクセス装置に関して固有である暗号化鍵を用いて前記アクセス情報を暗号化して暗号化アクセス情報を生じさせることによって、セキュアな仕方で前記所与の仲介装置により前記アクセス情報を前記コンテンツアクセス装置に記憶するステップと、
−前記仲介装置の公開・私有鍵の対のうちの公開鍵を用いて又は前記仲介装置の対称鍵を用いて暗号化される前記暗号化鍵を前記コンテンツアクセス装置において暗号化及び記憶するステップであって、これにより、前記仲介装置が、前記暗号化鍵を復号して、前記記憶されたアクセス情報を得ることを可能にさせるようにする、ステップと、
を含む方法。
【請求項１８】
請求項１７に記載の方法であって、前記秘密は、ＩＤサービスによって生成される、方法。
【請求項１９】
請求項１８に記載の方法であって、前記秘密は、前記アクセス情報に一方向関数を適用することによって生成される、方法。
【請求項２０】
請求項１２に記載の方法であって、当該方法は、
−前記アクセス情報を、前記仲介装置の公開・私有鍵の対のうちの公開鍵を用いて又は前記仲介装置の対称鍵を用いて暗号化させることによって、前記アクセス情報を、セキュアな仕方で前記コンテンツアクセス装置に記憶させるステップであって、これにより、前記コンテンツアクセス装置において前記アクセス情報を記憶した前記所与の仲介装置のみが、前記アクセス情報を得ることを可能であるようにされる、ステップ、
を含む方法。
【請求項２１】
１つ以上の処理ユニットに、請求項１２乃至２０の何れか一項に記載の方法を実行させる命令を記憶させた計算機読み取り可能媒体。
【発明の詳細な説明】
【技術分野】
【０００１】
本発明は、デジタルコンテンツ保護システムにおけるデジタルコンテンツ項目へのアクセスを提供する方法に関する。本発明は、更に、デジタルコンテンツ保護に関するシステムに関する。更に、本発明は、１つ以上の処理ユニットに本発明に従う方法を実行させる命令を記憶させた計算機読み取り可能媒体に関する。加えて、本発明は、デジタルコンテンツ項目へのアクセスをコンテンツアクセス装置へ提供する仲介装置、及びデジタルコンテンツ保護システムにおけるデジタルコンテンツ項目へのアクセスを提供するコンテンツアクセス装置にも関する。
【背景技術】
【０００２】
コンテンツ配信技術（例えば、インターネット、モバイル接続、及びリムーバブル媒体など）における近年の開発は、以前よりもコンテンツを交換するのを遥かに簡単にしている。消費者による急速な受け入れは、このような技術が消費者のニーズに実際に対処していることを示している。コンテンツ提供者は、デジタル流通へ載せられるコンテンツ／コンテンツ項目の著作権の保護を望んでいる。したがって、近年において、コンテンツ保護システムの量は、急速に成長している。コンテンツ保護システムの１つのカテゴリは、コピープロテクション（ＣＰ）システムとして通常称される。ＣＰシステムは、従来から民生電子機器（ＣＥ）装置に関しての主な注目点であったが、それは、この種のコンテンツプロテクションが、安価に実装されると考えられ、コンテンツ提供者との双方向の相互作用を必要としないからである。いくつかの例は、コンテンツスクランブリングシステム（ＣＳＳ）、ＤＶＤ・ＲＯＭディスクの保護システム及びＤＴＣＰ（ＩＥＥＥ１３９４接続に関する保護システム）である。放送業界において、このカテゴリのシステムは、一般的に、条件付アクセス（ＣＡ）システムとして知られる一方で、インターネットの世界では、デジタル著作権管理（ＤＲＭ）システム又はプラットフォームとして一般的に知られる。以下において、このようなシステム及び方法は、デジタルコンテンツ保護システムとして称される。
【０００３】
（ドメインベースの）デジタルコンテンツ保護システムは、通常、１つの非常に典型的な特徴を有する。すなわち、所与のコンテンツ項目への権利は、通常、アクセスされている特定の装置、及び／又は装置の状態に依存して異なる。例として、この権利は、装置の種類、装置がどこに位置するか（すなわち、ドメインの内側又は外側）、装置が何に接続されているか、及びどのユーザが自身を装置に認証させているかなどに依存し得る。（通常コンテンツ項目の複製を必要とする）ドメインの外側における装置におけるコンテンツがアクセスされる場合よりも、ドメイン内における装置におけるコンテンツがアクセスされる場合に、通常、多くの権利が供与される。ドメイン内における装置に供与される通常の権利の例としては、例えば、複製、（ドメイン内の）他の装置への配信、及び／又は何人かのユーザに関するアクセスなどである。ドメイン外における装置に供与される通常の権利の例としては、例えば、（制限された）アクセス／再生／視聴のみ（すなわち複製不可）、特定のユーザに関してのみのアクセス、及び／又は他の装置への配信不可、などである。
【０００４】
デジタルコンテンツ保護システムは、ユーザ装置の特定のユーザ、使用及び／又は種類に対して設計又は仕向けられ得る。一つの例は、例えば、携帯通信又は携帯接続に仕向けられるデジタルコンテンツ保護システムである。別の例は、例えば、デジタル家庭用娯楽システムに仕向けられるデジタルコンテンツ保護システムである。更なる例として、例えば、多数の異なるシステムに配信されるコンテンツを、多数の装置に対して利用可能にさせるデジタルコンテンツ保護システムである。
【０００５】
ユーザは、いくつかの異なるデジタルコンテンツ保護システムへのアクセスを有し得、例えば、一つは、携帯プラットフォームに関するコンテンツを提供することに関与するデジタルコンテンツ保護システムであり、一つは、セキュアな方法で家庭用娯楽を提供することに関与するデジタルコンテンツ保護システムであるか、又は異なるコンテンツ提供者からの単純に２つ以上のデジタルコンテンツ保護システムである。
【０００６】
ある装置は、あるデジタルコンテンツ保護システムが別のデジタルコンテンツ保護システムにおけるコンテンツへのアクセスを必要とする場合、異なるデジタルコンテンツ保護システム間における通信を取り扱うことに関して通常責任を負う、又は所与のコンテンツ保護システムにおけるコンテンツへのアクセスを探す装置間における通信を取り扱うことに関して通常責任を負う。このような装置は、変換器、ゲートウェイ、又は変換／翻訳／変異(mutation)／解釈／仲介装置などと呼ばれ、以下において仲介装置と呼ばれる。
【０００７】
ユーザが、第１の種類のデジタルコンテンツ保護システムにおけるコンテンツに、第２の種類のデジタルコンテンツ保護システム（における装置）からアクセスすることを望む場合、従来であれば、特定のコンテンツは、適切なアクセスが可能になる前に、第２の種類のデジタルコンテンツ保護システムへと（例えば、相互運用デジタルコンテンツ保護システムにより又は直接的に）セキュアにインポートされるか、又は、少なくとも第２の種類のデジタルコンテンツ保護システムの制御に通常移される必要がある。この処理は、権利の変換又は翻訳、及びコンテンツの実際の移管においてのセキュリティの取り扱いなどを含み得、権利、セキュリティ対策及びレベル、装置及びユーザ認証などが、２つのデジタルコンテンツ保護システムにおいて非常に異なる方法で実行され得るので、かなり複雑である。例として、ある種類のデジタルコンテンツ保護システムは、状態（すなわち所与のコンテンツ項目へのアクセスを供与するか否か）を含まない権利のみを含み得る一方で、他の種類のデジタルコンテンツ保護システムは、状態若しくは計数可能な権利（すなわち、ユーザは、追加的な使用／アクセス又は時間が購入される前に、ある回数又は所与の期間において所与のコンテンツ項目へのアクセスのみを供与される）を含む権利を含み得る、又は権利は単純に異なる方法で実施され得る。
【０００８】
デジタルコンテンツ保護システム間のアクセスを取り扱うことに責任を負う装置が、ステートレス(stateless)であること、すなわち、装置に記憶されるコンテンツ保護システムに関連する情報を有さないことが好ましい。このことを効率的且つセキュアな方法で達成することは、単純なことではない。装置がステートレスでない場合、新しい仲介装置が用いられるときに、装置は、装置間における通信も必要とし、また仲介装置が異なる製造業者製である場合、このことは、更に複雑になり得る。更に、様々な仲介装置におけるこのような情報の記憶は、特定の管理をも必要とし得る。このような仲介装置は、コンテンツが入手可能であり且つある種類のデジタルコンテンツ保護システムの制御の下にあるようなネットワークへの、例えばゲートウェイ、ホットスポット、及びアクセスポイントなどであり得る。
【発明の開示】
【発明が解決しようとする課題】
【０００９】
本発明の目的は、コンテンツは、第１デジタルコンテンツ保護システムの制御の下に維持すると同時に、第１デジタルコンテンツ保護システムにおけるコンテンツへの透過的アクセスを、第１デジタルコンテンツ保護システムの外側にあるコンテンツアクセス装置へ提供することである。
【課題を解決するための手段】
【００１０】
この目的は、デジタルコンテンツ保護に関するシステム（並びに対応する装置及び方法）によって達成され、当該システムは、デジタルコンテンツ項目を含む第１デジタルコンテンツ保護システムと、前記第１デジタルコンテンツ保護システムの一部ではないコンテンツアクセス装置と、前記コンテンツアクセス装置に、前記第１デジタルコンテンツ保護システムの前記デジタルコンテンツ項目へのアクセスを提供する少なくとも一つの仲介装置と、を備え、前記仲介装置が、前記仲介装置に知られる秘密を用いて、前記コンテンツアクセス装置における記憶のためのセキュアアクセス情報を生成するように構成され、前記秘密は、前記仲介装置に、前記コンテンツアクセス装置に記憶される前記セキュアアクセス情報からアクセス情報を回復させ、そして前記仲介装置は、前記アクセス情報を用いて、前記コンテンツアクセス装置に、前記第１デジタルコンテンツ保護システム内における前記デジタルコンテンツ項目にアクセスさせるように更に構成される、システムである。
【００１１】
このようにして、ステートレス仲介装置、及びセキュリティは（コンテンツアクセス装置におけるアクセス情報のセキュアな記憶を必要とせずに）、非常に簡単で効率的な方法で得られる。
【００１２】
第１デジタルコンテンツ保護システムの外にあるコンテンツアクセス装置にアクセス情報を記憶することによって、仲介装置がセキュリティを有することなくステートレスであることを保証される。仲介装置をステートレスに維持することは、簡素性を提供し、状態の不一致を避ける。更に、様々異なる仲介装置が、仲介装置の状態を、必要とされ得るように調整させる必要もない。
【００１３】
このようなステートレス仲介装置の更なる有利な点は、ユーザが同一の仲介装置に接続する必要はないことであるが、それは、関連する情報がいずれの場所においても入手可能であるからである。追加的に、仲介装置をステートレスに維持することによって、コンテンツアクセス装置は、様々異なる仲介装置に通信させる必要なく、複数の異なる仲介装置を用い得る。通常、及び特に関与するデジタルコンテンツ保護システムが、携帯型民生電子（ＣＥ）装置を含む場合、ユーザは、通常の使用において、異なるこのような仲介装置に接続する。更に、このような仲介装置をステートレスに維持することによって、情報の複製が避けられるが、その理由は、各仲介装置は、あるデジタルコンテンツ保護システムにおける装置に、別のデジタルコンテンツ保護システムにおける装置として動作するようにさせるのに必要とされる情報をローカルに記憶させる必要がないからである。
【００１４】
更に、第２デジタルコンテンツ保護システムにおけるコンテンツアクセス装置が、第１デジタルコンテンツ保護システムにおけるコンテンツにアクセスする場合、実際のコンテンツは、第２デジタルコンテンツ保護システムに「複製」されず、これにより、記憶容量要件を節約させ、また特定の使用において帯域幅をも節約させる。
【００１５】
ある実施例において、前記セキュアアクセス情報が、前記アクセス情報を暗号化することによって生成される。
【００１６】
ある実施例において、前記コンテンツアクセス装置は、第２デジタルコンテンツ保護システムにおいて位置される。
【００１７】
代わりの実施例において、前記コンテンツアクセス装置は、少なくとも２つのデジタルコンテンツ保護システム間における相互運用性問題に対処するシステムである、相互運用デジタルコンテンツ保護システムにおいて位置される。
【００１８】
ある実施例において、第１デジタルコンテンツ保護システムにおける装置によって使用される共有鍵が、アクセス情報を暗号化するのに用いられ、これにより、仲介装置もこの共有鍵を獲得し得るので、追加的な仲介装置に前記アクセス情報を回復させるのを可能にする。代替的に、コンテンツアクセス装置が第２デジタルコンテンツ保護システムにある場合に、第２デジタルコンテンツ保護システムからの共有鍵が使用され得る。仲介装置は、実質的に、第１及び第２デジタルコンテンツ保護システムの両方へのアクセスを有し、いずれかのドメインから共有鍵へのアクセスを与えられ得る。このようにして、既存の鍵の再利用が達成され、これにより、鍵生成の必要性が避けられる。更に、暗号化鍵が共有されるので、様々異なる仲介装置がアクセス情報を回復させ得ることが実現にされる。
【００１９】
ある実施例において、アクセス情報は、前記コンテンツアクセス装置に関して固有である暗号化鍵を用いて前記アクセス情報を暗号化して暗号化アクセス情報を生じさせることによって、且つ、前記仲介装置の公開・私有鍵の対のうちの公開鍵を用いて又は前記仲介装置の対称鍵を用いて暗号化される前記暗号化鍵を前記コンテンツアクセス装置において暗号化及び記憶することによって、セキュアな仕方で所与の仲介装置により前記コンテンツアクセス装置に記憶され、これにより、前記仲介装置が、前記暗号化鍵を復号し、前記記憶されたアクセス情報を得ることを可能にさせる。
【００２０】
更に、様々異なるコンテンツアクセス装置に関しての共有秘密の必要性は存在せず、この場合、１つの実施例又は設計に関してコンテンツアクセス装置の多数の異なる製造者間における取り決めも必要とされない。
【００２１】
アクセス情報を暗号化するのに使用される鍵はコンテンツアクセス装置に関して固有であるので、各仲介装置がコンテンツアクセス装置に接続する毎に１度のみＩＤサービスへ接触する必要があることを保証される。というのも、仲介装置は、その後コンテンツアクセス装置からアクセス情報を取得し得るからである（一方で、なおセキュリティは保持される）。
【００２２】
ある実施例において、アクセス情報は、前記アクセス情報を、前記仲介装置の公開・私有鍵の対のうちの公開鍵を用いて又は前記仲介装置の対称鍵を用いて暗号化させることによって、セキュアな仕方で前記コンテンツアクセス装置に記憶され、これにより、前記コンテンツアクセス装置において前記アクセス情報を記憶した前記所与の仲介装置のみが、前記アクセス情報を得ることを可能であるようにされる。先立つ実施例に関する上述の有利な点は、この実施例にも適用される。
【００２３】
更に、本発明は、コンテンツアクセス装置に対して、第１デジタルコンテンツ保護システムにおけるデジタルコンテンツ項目へのアクセスを提供する方法であって、前記コンテンツアクセス装置が前記第１デジタルコンテンツ保護システムの一部ではなく、当該方法が、前記コンテンツアクセス装置に対して、前記デジタルコンテンツ項目へのアクセスを、前記仲介装置によって提供するステップであって、前記仲介装置が、前記仲介装置に知られる秘密を用いて、前記コンテンツアクセス装置における記憶のためのセキュアアクセス情報を生成するように構成され、前記秘密は、前記仲介装置に、前記コンテンツアクセス装置に記憶される前記セキュアアクセス情報からアクセス情報を回復させる、ステップと、前記仲介装置によって前記アクセス情報を獲得するステップと、前記コンテンツアクセス装置に、前記第１デジタルコンテンツ保護システム内における前記デジタルコンテンツ項目にアクセスさせるために、前記アクセス情報を用いるステップと、を含む方法にも関する。
【００２４】
本発明に従う方法の有利な実施例は、従属項に規定され、以下において詳細に説明される。前記方法の実施例は、前記システムの実施例に対応し、同一の理由に関しては同一の有利な点を有する。
【００２５】
本発明は、請求項及び以下の説明において与えられるように、仲介装置及びコンテンツアクセス装置にも関する。
【００２６】
更に、本発明は、１つ以上の処理ユニットに、本発明に従う方法を実行させる命令を記憶させた計算機読み取り可能媒体にも関する。
【００２７】
本発明のこれら及び他の態様は、図面において示される例示的な実施例から明らかであり、これらを参照にして説明される。
【発明を実施するための最良の形態】
【００２８】
図１は、従来技術に従う、第１デジタルコンテンツ保護システムにおけるデジタルコンテンツ項目への、第２デジタルコンテンツ保護システムにおけるコンテンツアクセス装置によるアクセスを概略的に例証する。ドメイン内に、すなわち第１デジタルコンテンツ保護システム（１０１）の制御の下にある、少なくとも１つのデジタルコンテンツ項目（１０６）及び０又は１つ以上のコンテンツアクセス装置（１０５'）を備える第１種類のデジタルコンテンツ保護システム（１０１）が示される。更に、少なくとも１つのコンテンツアクセス装置（１０５）及び０又は１つ以上のデジタルコンテンツ項目（１０６'）を備える第２種類のデジタルコンテンツ保護システム（１０２）が示される。通常、所与のデジタルコンテンツ保護システムに属する装置は、同一のコンテンツ保護システムに属するコンテンツ項目へアクセスし得る。新しいコンテンツは、コンテンツ保護システムの特定の実施例に従い所与のデジタルコンテンツ保護システムのドメインへ運び込まれるが、これはセキュアな態様で行われる。所与のデジタルコンテンツ保護システムは、どのアクセスが供与されるか、並びに特定のデジタルコンテンツ保護システムのドメインの外のユーザ及び／又は装置に関していかにアクセスが供与されるかも調整する。
【００２９】
例えば、第２デジタルコンテンツ保護システム（１０２）などの、あるデジタルコンテンツ保護システムの装置が、例えば、第１デジタルコンテンツ保護システム（１０１）などの別のデジタルコンテンツ保護システムのコンテンツ項目にアクセスしたいと望む場合、特定のコンテンツは、通常、セキュアに第２デジタルコンテンツ保護システムへインポートされる、又は少なくとも、セキュアなアクセスが可能になる前に第２デジタルコンテンツ保護システムの制御に入れられる必要がある。上述されたように、この処理は、権利、セキュリティの対策及びレベル、並びに装置及びユーザの認証などが、２つのシステムにおいて非常に異なったやり方で実施され得るので、かなり複雑である。このような従来技術の例は、例えば、仲介装置を使用することなく変換を行う方法を提供するCPSA(http://sharedserv.no-ip.org/drm/sepy/CPSA.html)、及びCoral(http://www.coral-interop.org/)である。
【００３０】
図２は、本発明の一つの実施例に従う、第１デジタルコンテンツ保護システムにおけるデジタルコンテンツ項目への、第２デジタルコンテンツ保護システムにおける又は少なくとも第１デジタルコンテンツ保護システムの外にあるコンテンツアクセス装置によるアクセスを概略的に例証する。第１デジタルコンテンツ保護システム（１０１）の制御の下にある、少なくとも１つのデジタルコンテンツ項目（１０６）及び０又は１つ以上のコンテンツアクセス装置（１０５'）を備える第１デジタルコンテンツ保護システム（１０１）と、少なくとも１つのコンテンツアクセス装置（１０５）及び０又は１つ以上のデジタルコンテンツ項目（１０６'）を備える第２のデジタルコンテンツ保護システム（１０２）が示される。更に、第２デジタルコンテンツ保護システム（１０２）のコンテンツアクセス装置（１０５）に、第１デジタルコンテンツ保護システム（１０１）の少なくとも１つのデジタルコンテンツ項目（１０６）へのアクセスを提供する少なくとも一つの仲介装置（１００）が示される。また、コンテンツアクセス装置（１０５）に第１デジタルコンテンツ保護システム（１０１）内におけるデジタルコンテンツ項目（１０６）にアクセスさせることを可能にする個別のアクセス情報(Inf_ID、図示されず。図３参照)を提供するＩＤサービス（１０４）が示される。個別のアクセス情報(Inf_ID)は、例えば、第１デジタルコンテンツ保護システムに準拠する、１つ以上の装置ＩＤ番号、証明書、第１デジタルコンテンツ保護システムのコンテンツにアクセスするために必要な暗号化鍵、権利発行者コンテクスト、ドメインコンテクスト、及び／又は購入された権利などであり得る。第１デジタルコンテンツ保護システム（１０１）における情報並びにＩＤサービス（１０４）から及びこれへの情報は、この情報の送信によってセキュリティが破られないように、セキュアな態様で取り扱われるべきである。
【００３１】
第２デジタルコンテンツ保護システム（１０２）の所与のコンテンツアクセス装置（１０５）と所与の仲介装置（１００）との間における最初の接続において、すなわち、この所与のアクセス装置がこの第１デジタルコンテンツ保護システムにおける所与のコンテンツ項目（１０６）に初めてアクセスしようと試みる場合に、コンテンツアクセス装置（１０５）に第１デジタルコンテンツ保護システム（１０１）内におけるデジタルコンテンツ項目（１０６）にアクセスさせることを可能にする個別のアクセス情報(Inf_ID)が、ＩＤサービス（１０４）から得られる。この場合、得られたアクセス情報は、ある実施例において、好ましくは同様にＩＤサービス（１０４）（または別のサービス）から得られる秘密鍵（図示されない、Ｋ；図３参照）を用いて暗号化される。秘密鍵（Ｋ）は、アクセス装置が接続し、例えば（第２デジタルコンテンツ保護システムにおける）自身のＩＤを用いるなどして登録する場合に、ＩＤサービス（１０４）によって生成され得、これにより、生成された秘密鍵（Ｋ）を特定のコンテンツアクセス装置へ及び特定のアクセス情報(Inf_ID)へ実質的に結び付ける。秘密鍵（Ｋ）は、アクセス装置（１０５）に関して固有である（が、以下に説明されるように、様々な仲介装置間において共有される又はそれらによって獲得され得る）。好ましい実施例において、秘密鍵（Ｋ）は、特定のアクセス情報(Inf_ID)へ一方向関数を適用することによって得られる。この情報は（Ｋ及びInf_ID）は、この情報をステートレスに維持するために、所与の仲介装置（１００）に記憶されない。代わりに、この情報又は少なくともこの情報の一部は、所与の仲介装置に記憶され得、この場合、装置における共通の情報を暗号化するのに鍵が使用され、これにより、１つより多い仲介装置が情報を活用し得るようにされる。
【００３２】
秘密鍵（Ｋ）は、この場合、セキュリティを保持するために、コンテンツアクセス装置に鍵を記憶した仲介装置（１００）のみが、鍵を復号し再び獲得することが可能であるように、暗号化される。このことは、鍵を、仲介装置（１００）の公開／私有鍵の対(Kpub,Kprv)のうちの公開鍵(Kpub)を用いて、又は秘密対称鍵(Ksym)若しくは仲介装置（１００）に対して秘密である他の鍵を用いて、又は別のセキュアな方法で暗号化させることによって、実行され得る。
【００３３】
第２デジタルコンテンツ保護システムの同一のコンテンツアクセス装置（１０５）が別の仲介装置（１００）と接続する場合、ＩＤサービス（１０４）から取得される同一の秘密鍵（Ｋ）は（鍵（Ｋ）は、実質的に特定のコンテンツアクセス装置に結び付けられるので）、この特定の仲介装置の秘密鍵を用いて暗号化され、記憶される。このようにして、コンテンツアクセス装置（１０５）は、（コンテンツアクセス装置（１０５）の秘密鍵（Ｋ）を用いて暗号化されて）一度記憶されたアクセス情報(Inf_ID)のみを有するが、一度装置が接続していた各仲介装置（１００）に関して特定の仲介装置の秘密鍵を用いて暗号化された秘密鍵（Ｋ）を記憶する。このことは、特に、通常起こる場合であるような、アクセス情報(Inf_ID)が暗号化秘密鍵（Ｋ）より大きい場合に、記憶部を節約する一方で、簡単な方法でコンテンツアクセス装置（１０５）におけるセキュリティを維持する。
【００３４】
結果として、コンテンツアクセス装置（１０５）が登録されている各仲介装置（１００）は、自身の私有鍵又は秘密鍵(Kprv,Ksym)を使用し秘密鍵（Ｋ）にアクセスし、その後、アクセス情報(Inf_ID)を得るために復号された秘密鍵（Ｋ）を用い得、それにより、コンテンツアクセス装置（１０５）は、ドメインにおける装置として（第１デジタルコンテンツ保護システムには透過的に）作用し、そのコンテンツ項目にアクセスし得る。
【００３５】
このようにして、ステートレス仲介装置（１００）、及び（コンテンツアクセス装置（１０５）においてセキュアに記憶される必要なく）アクセス情報(Inf_ID)のセキュリティは、非常に簡単で効率的な方法で得られる。また追加的には、各仲介装置（１００）は、コンテンツアクセス装置（１０５）に接続する毎に１度、ＩＤサービス（１０４）に接触する必要があるのみである。更に、様々なコンテンツアクセス装置に関しての共有秘密の必要性もなく、この場合、１つの実施例又は設計に関してコンテンツアクセス装置の多数の異なる製造者間における取り決めも必要とされない。
【００３６】
代わりの実施例において、秘密鍵（Ｋ）は、生成されない又は使用されない。この実施例において、アクセス情報(Inf_ID)情報は、アクセス情報を記憶した仲介装置（１００）に関連する鍵を用いて単純に暗号化される（例えば、公開鍵(Kpub)若しくは秘密対称鍵(Ksym)又は同様なものなどを用いる）。このことは、なお、仲介装置（１００）をステートレスに維持し、必要なセキュリティを提供するが、アクセス情報(Inf_ID)情報は、各仲介装置（１００）に関して一度記憶される。
【００３７】
別の実施例において、別の既存の鍵（例えば、第２コンテンツ保護システムにおけるコンテンツ（１０６'）に関するコンテンツ保護に関する鍵など）が、（再）利用され得る。
【００３８】
ＩＤサービス（１０４）、仲介装置（１００）及び第２デジタルコンテンツ保護システム（１０２）のコンテンツアクセス装置（１０５）は、組み合わせて、第１デジタルコンテンツ保護システム（１０１）におけるコンテンツアクセス装置（１０５'）として機能する。更に、ＩＤサービス（１０４）、仲介装置（１００）及び第１デジタルコンテンツ保護システム（１０１）のコンテンツアクセス装置（１０５'）は、組み合わせて、第２デジタルコンテンツ保護システム（１０２）におけるコンテンツアクセス装置（１０５）として機能する。
【００３９】
ある実施例において、第１デジタルコンテンツ保護システム（１０１）からの共有鍵は、共有秘密暗号化鍵Ｋとして使用される。代わりに、第２デジタルコンテンツ保護システム（１０２）からの共有鍵は、セキュリティが適切に取り扱われることを条件として、共有秘密暗号化鍵Ｋとして使用される。
【００４０】
コンテンツアクセス装置（１０５）の例は、例えば、適切なネットワークを介してデジタルコンテンツ保護システムと有線及び／又は無線通信し得る、音声及び／又はビデオ再生装置、レンダリング装置、テレビ、デジタルビデオシステム、音楽機、携帯電話、ＰＤＡ、ラップトップ、ＰＣ、民生装置、及びカーエンターテイメントシステムなどである。
【００４１】
主要な機能がいくつかのデジタルコンテンツ保護システム間において通信を促進する、転送する、及びアクセスするなどであるようなデジタルコンテンツ保護システムも存在する。このようなデジタルコンテンツ保護システムは、通常、相互運用デジタルコンテンツ保護システムと呼ばれる。相互運用デジタルコンテンツ保護システムは、民生装置に関連して特に有利であり、それは、民生装置が、多くの場合、記憶容量、及び処理能力などより制限された能力が原因で、多数の様々なデジタルコンテンツ保護システムを組み込むことが可能でないからである。このような相互運用システムは、図４と組み合わせてより詳細に説明される。
【００４２】
例として、第１デジタルコンテンツ保護システムは、例えば、ＯＭＡ(Open  Mobile  Alliance)DRM  V2.0システムであり得、例えば、http://www.openmobilealliance.org/release_program/docs/DRM/V2_0-20050614-C/OMA-DRM-ARCH-V2_0_6-20040820-C.pdfに記載されており、本文書において参照として組み込まれる。
【００４３】
複数のＩＤサービス及び／又は複数の相互運用装置を有するシステムを有することが可能であることも理解されるべきである。
【００４４】
本発明は、第２コンテンツ保護システムの一部であるコンテンツアクセス装置を用いて説明されているが、このことは必要とはされず、本発明は、単に第１コンテンツ保護システムの外にある装置にも同一の有利な点を含み適用可能であることを注意されたい。
【００４５】
図３は、本発明の一つの実施例に従う、第１デジタルコンテンツ保護システムの外にある（例えば第２デジタルコンテンツ保護システムにおける）装置、ＩＤサービス、及び仲介装置によって記憶されるデータを概略的に例証する。
【００４６】
ここで示されるのは、１つ以上の秘密鍵(Ｋ(s))及び１つ以上のコンテンツアクセス情報(Inf_ID)（第２デジタルコンテンツ保護システムにおける各登録されたコンテンツアクセス装置に関してそれぞれの１つ）を備えるＩＤサービス（１０４）、例えば、秘密対称鍵（Ksys）、公開／私有鍵の対(Kpub/Kprv)又は仲介装置自体のみに知られる別の種類の秘密などの暗号鍵を記憶する仲介装置（１００）、並びに、コンテンツアクセス装置に結び付けられる秘密鍵（Ｋ）によって暗号化されたアクセス情報(Inf_ID)と、コンテンツアクセス装置（１０５）が登録している各仲介装置（１００）に関して１つの暗号化鍵(Ksym;Kpub)と、を記憶する第１デジタルコンテンツ保護システムの外にあるコンテンツアクセス装置（１０５）、であり、秘密鍵（Ｋ(s)）は、図２と関連して説明されるように、対応する仲介装置（１００）の暗号化鍵によって暗号化されている。
【００４７】
代わりに、コンテンツアクセス装置（１０５）において、アクセス情報(Inf_ID)は、仲介装置（１００）に固有の暗号化鍵を用いて単純に暗号化され、装置が登録した各仲介装置に関して記憶される。
【００４８】
図４は、１つは相互運用デジタルコンテンツ保護システムである、３つのデジタルコンテンツ保護システムを概略的に例証する。本発明に従う、少なくとも１つの第１デジタルコンテンツ保護システム（１０１）及び第２デジタルコンテンツ保護システム（１０２）が示される。第２デジタルコンテンツ保護システム（１０２）は、この特定の実施例において、上述されるように機能する相互運用デジタルコンテンツ保護システムであるが、コンテンツアクセス装置が更に第１デジタルコンテンツ保護システム（１０１）のデジタルコンテンツ項目へのアクセスを、少なくとも１つの追加的なコンテンツ保護システムすなわちデジタルコンテンツ項目（１０３）へ提供し得る。例として、第１デジタルコンテンツ保護システムは、例えば、携帯民生装置にコンテンツを提供することに関するデジタルコンテンツ保護プラットフォームであり得、追加的なデジタルコンテンツ保護システム（１０３）は、例えば、Microsoft  Windows（登録商標）DRMシステムであり得る。このようにして、相互運用デジタルコンテンツ保護（１０２）は、セキュリティを妥協することなく且つコンテンツを転送する又はコンテンツ項目を追加的なデジタルコンテンツ保護システム（１０３）の制御の下に移す必要なく、追加的なデジタルコンテンツ保護システム（１０３）へのシームレスなアクセスを提供する。追加的なデジタルコンテンツ保護システム（１０３）が、第１デジタルコンテンツ保護システム（１０１）のコンテンツ項目へのアクセスを必要とする場合、要求は、図２及び３と関連して上述されるのと同じ方法で、コンテンツ項目へのアクセスを提供し得る相互運用デジタルコンテンツ保護システム（１０２）のコンテンツアクセス装置へ送信される。このような相互運用デジタルコンテンツ保護システム（１０２）を有することは、既述される有利な点を有してコンテンツへのアクセスを提供し、追加的なデジタルコンテンツ保護システム（１０３）の様々な提供者にとって互換性がある必要は避けられる。
【００４９】
図５は、別のデジタルコンテンツ保護システムにおけるデジタルコンテンツ項目へのアクセスをコンテンツアクセス装置へ提供する仲介装置（１００）又はコンテンツアクセス装置（１０５）のいずれかとして構成され得る装置（５００）の概略ブロック図を例証する。本発明と関連して説明される機能性を実施化する１つ以上の特別及び／又は汎用マイクロプロセッサ（５０１）を備える装置（５００）が示され、１つ以上のプロセッサは、本発明に従い、情報及びデータなどの記憶及び通信のそれぞれのために、バス又は類似するデータ通信構造（５０４）を介して、メモリ／記憶部（５０２）及び送信器／受信器（５０３）と接続される。
【００５０】
請求項において、括弧記号間に位置される如何なる参照符号も、請求項を制限するように解釈されてはならない。「有する」という語句は、請求項に記載される以外の要素又はステップの存在を排除しない。単数形の構成要素は、複数個の斯様な構成要素の存在を排除しない。
【００５１】
本発明は、いくつかの個別の構成要素を有するハードウェアを用いて、及び適切にプログラムされた計算機を用いて実施され得る。いくつかの手段を列挙している装置請求項において、これらの手段のいくつかは１つの同じハードウェアの項目によって、実施化することが可能である。特定の手段が、相互に異なる従属請求項において引用されているという単なる事実は、これらの手段の組み合わせが有利になるように使用されていることができないと示すものではない。
【図面の簡単な説明】
【００５２】
【図１】図１は、従来技術に従う、第１デジタルコンテンツ保護システムにおけるデジタルコンテンツ項目への、第２デジタルコンテンツ保護システムにおけるコンテンツアクセス装置によるアクセスを概略的に例証する。
【図２】図２は、本発明の一つの実施例に従う、第１デジタルコンテンツ保護システムにおけるデジタルコンテンツ項目への、第２デジタルコンテンツ保護システムにおける又は少なくとも第１デジタルコンテンツ保護システムの外にあるコンテンツアクセス装置による、アクセスを概略的に例証する。
【図３】図３は、第２デジタルコンテンツ保護システムにおける又は少なくとも第１デジタルコンテンツ保護システムの外にある装置、ＩＤサービス、及び仲介装置によって記憶されるデータを概略的に例証する。
【図４】図４は、１つは相互運用デジタルコンテンツ保護システムである、３つのデジタルコンテンツ保護システムを概略的に例証する。
【図５】図５は、コンテンツアクセス装置、又は別のデジタルコンテンツ保護システムにおけるデジタルコンテンツ項目へのアクセスをコンテンツアクセス装置へ提供する仲介装置の概略ブロック図を例証する。
【図１】
2009500713.tif 000003
【図２】
2009500713.tif 000004
【図３】
2009500713.tif 000005
【図４】
2009500713.tif 000006
【図５】
2009500713.tif 000007
【国際調査報告】
2009500713.tif 000008
2009500713.tif 000009
2009500713.tif 000010